(57)【要約】【課題】  二次側通路側の漏水を検知して大きな水損事故にならないうちに速やかに対処することができるスプリンクラー設備用漏水検知システムを提供する。【解決手段】  加圧された水が導入される一次側通路２と、一次側通路２からの水が導入される二次側通路４と、一次側通路２と二次側通路４との間に配置された主開閉弁Ａｖと、二次側通路４内の水を散水するスプリンクラーヘッド５と、火災感知器６からの火災信号を受けて主開閉弁Ａｖを開弁し、散水を行わせる散水制御手段８１とを備えたスプリンクラーシステムで使用される漏水検知システムであって、二次側通路４の圧力を監視し、この圧力が漏水判定値Ｊ１にまで低下したとき漏水検知信号Ｓ１を出力する第１圧力検知器Ｐｓ１を備えている。【選択図】      図１
2005152291.tif 000002
【特許請求の範囲】
【請求項１】
加圧された水が導入される一次側通路と、前記一次側通路からの水が導入される二次側通路と、前記一次側通路と二次側通路との間に配置された主開閉弁と、前記二次側通路内の水を散水するスプリンクラーヘッドと、火災感知器からの火災信号を受けて前記主開閉弁を開弁し、前記散水を行わせる散水制御手段とを備えたスプリンクラーシステムで使用される漏水検知システムであって、
前記二次側通路の圧力を監視し、この圧力が漏水判定値にまで低下したとき漏水検知信号を出力する第１圧力検知器を備えたスプリンクラー設備用漏水検知システム。
【請求項２】
請求項１において、さらに、前記主開閉弁を迂回して一次側通路と二次側通路とを接続するバイパス通路と、前記バイパス通路を開閉するバイパス開閉弁と、二次側通路の圧力が前記漏水判定値よりも高い警戒値にまで低下したときに補充信号を出力し、二次側通路の圧力が前記警戒値よりも高い警戒解除値にまで上昇したときに補充停止信号を出力する第２圧力検知器と、前記補充信号および補充停止信号を受けてバイパス開閉弁を開閉する補充制御手段と、バイパス開閉弁が閉弁された後、一定の閉弁維持時間にわたり閉弁を継続させる第１タイマとを備えたスプリンクラー設備用漏水検知システム。
【請求項３】
請求項２において、前記補充信号によってバイパス開閉弁が開弁されたのち、一定の開弁持続時間でバイパス開閉弁を閉弁させる第２タイマを備えたスプリンクラー設備用漏水検知システム。
【請求項４】
請求項１から３のいずれかにおいて、前記二次側通路に、同配管内の圧力変動を滑らかにする圧力タンクが接続されているスプリンクラー設備用漏水検知システム。
【請求項５】
加圧された水が導入される一次側通路と、前記一次側通路からの水が導入される二次側通路と、前記一次側通路と二次側通路との間に配置された主開閉弁と、前記二次側通路内の水を散水するスプリンクラーヘッドと、火災感知器からの火災信号を受けて前記主開閉弁を開弁し、前記散水を行わせる散水制御手段とを備えたスプリンクラーシステムで使用される漏水検知システムであって、
前記主開閉弁を迂回して一次側通路と二次側通路とを接続するバイパス通路と、前記バイパス通路を開閉するバイパス開閉弁と、前記バイパス通路に設けられて、一次側通路からの水を減圧して二次側通路に供給する減圧弁と、バイパス通路内の流水量を監視し、流水量が一定の設定値に達したときに漏水検知信号を出力する流量検知器と、前記バイパス開閉弁を常時は開弁させ、前記漏水検知信号を受けて閉弁させるバイパス制御手段とを備えたスプリンクラー設備用漏水検知システム。
【請求項６】
請求項５において、さらに、
前記流量検知器からの漏水検知信号を受けてカウントダウンを開始し、タイムアップしたときに前記バイパス制御手段にタイムアップ信号を出力する第３タイマを備え、
前記バイパス制御手段は、タイムアップ信号出力時に漏水検知信号が出力継続中のときバイパス開閉弁を閉弁させるスプリンクラー設備用漏水検知システム。
【発明の詳細な説明】
【技術分野】
【０００１】
本発明は、主として住宅用のスプリンクラー設備用漏水検知システムに関し、詳しくは微量漏水を速やかに検知して通報でき、室内の水損事故を未然に防止することができるスプリンクラー設備用漏水検知システムに関する。
【背景技術】
【０００２】
住宅用のスプリンクラーシステムでは、閉鎖型で湿式が一般的である。この閉鎖型湿式タイプのスプリンクラーは、配管内に水が充満している方式で、スプリンクラーヘッドの感熱部の可溶片が熱で溶けてシール部分が開き、湿式流水検知装置が作動して放水できるようになっている。このようなスプリンクラーシステムの一例として、火災感知器とスプリンクラーヘッドの作動センサのどちらかに不具合が生じた場合であっても、火災時には確実にスプリンクラーヘッドに水や消火液を供給して放水もしくは散布できるように配慮されたものがある（例えば特許文献１参照）。
【特許文献１】特開２００３−１１１８６２号公報
【０００３】
しかし、このスプリンクラーシステムでは、火災以外の原因によってスプリンクラーヘッドが誤作動した場合の水損防止についてはなんら配慮されていない。
【０００４】
このように、火災以外の原因で誤作動し、スプリンクラーヘッドからの放水による水損を防止するスプリンクラーシステムとして、例えば予作動式および緊急停止機能付きスプリンクラーシステムが提案されており、スプリンクラーヘッドからの誤放水については一応の対策が講じられている。
【発明の開示】
【発明が解決しようとする課題】
【０００５】
ところが前記予作動式および緊急停止機能付きスプリンクラーシステムの場合、スプリンクラーヘッドに水を供給する通路のうち、室内側に配管される二次側通路からの漏水については全く配慮されていない。特に、マンションなどの共同住宅の場合は、一般のオフィスビルと異なり、個々に存在するスプリンクラー設備を全般的に集中監視することが困難である。そのため、前記共同住宅用スプリンクラー設備において各住戸内に設置されるスプリンクラーヘッドの破損、配管や継手などの配管ラインの損傷による漏水があってもこれを早期に発見して対処することができず、大きな水損事故となるおそれもある。
【０００６】
そこで、本発明は、スプリンクラー設備の二次側通路で漏水が生じたとしても、これをいち早く発見して通報でき、大きな水損事故にならないうちに速やかに対処することができるスプリンクラー設備用漏水検知システムを提供することを目的とする。
【課題を解決するための手段】
【０００７】
上記目的を達成するため、本発明の第１構成に係るスプリンクラー設備用漏水検知システムは、加圧された水が導入される一次側通路と、前記一次側通路からの水が導入される二次側通路と、前記一次側通路と二次側通路との間に配置された主開閉弁と、前記二次側通路内の水を散水するスプリンクラーヘッドと、火災感知器からの火災信号を受けて前記主開閉弁を開弁し、前記散水を行わせる散水制御手段とを備えたスプリンクラーシステムで使用される漏水検知システムであって、前記二次側通路の圧力を監視し、この圧力が漏水判定値にまで低下したとき漏水検知信号を出力する第１圧力検知器を備えている。
【０００８】
この構成によれば、二次側通路の圧力が漏水判定値にまで低下した場合、これを第１圧力検知器で検知して漏水検知信号が出力される。したがって、この漏水検知信号を受け、最終的に音声、文字表示あるいはこれらを併用した警報として発することで、二次側通路での漏水を報知できる。例えばマンションなどの共同住宅用スプリンクラー設備において、各住戸内に設置されるスプリンクラーヘッドの破損、配管や継ぎ手などの配管ラインの損傷などによる漏水を確実に検知して早期に通報できる結果、水の送給の停止など適切な処置を直ちにとることができるので、大きな水損事故の発生を未然に防止することができる。
【０００９】
本発明の好ましい実施形態では、前記主開閉弁を迂回して一次側通路と二次側通路とを接続するバイパス通路と、前記バイパス通路を開閉するバイパス開閉弁と、二次側通路の圧力が前記漏水判定値よりも高い警戒値にまで低下したときに補充信号を出力し、二次側通路の圧力が前記警戒値よりも高い警戒解除値にまで上昇したときに補充停止信号を出力する第２圧力検知器と、前記補充信号および補充停止信号を受けてバイパス開閉弁を開閉する補充制御手段と、バイパス開閉弁が閉弁された後、一定の閉弁維持時間にわたり閉弁を継続させる第１タイマとを備えている。
【００１０】
この構成によれば、二次側通路の圧力が漏水判定値よりも高い警戒値にまで低下したとき、第２圧力検知器からの補充信号を受けて作動するバイパス開閉弁の開弁により、圧力水が一次側通路から二次側通路に導入され、二次側通路の圧力が警戒解除値にまで上昇した時点で第２圧力検知器からの補充停止信号を受けて作動するバイパス開閉弁の閉弁により、圧力水の導入が停止される。前記バイパス開閉弁の閉弁を一定の閉弁継続時間にわたり継続したのち、前記二次側通路の圧力が漏水判定値にまで低下していなければ、二次側通路の漏水がないものとされる。一方、前記二次側通路の圧力が再び漏水判定値にまで低下すれば、これを第１圧力検知器で検知し二次側通路側で漏水があると判定されて漏水検知信号が出力されるので、二次側通路側の漏水を高い信頼度で検知することができる。
【００１１】
本発明の好ましい実施形態では、前記補充信号によってバイパス開閉弁が開弁されたのち、一定の開弁持続時間でバイパス開閉弁を閉弁させる第２タイマを備えている。
【００１２】
この構成によれば、二次側通路での漏水量と補充量が同一の場合でこれら漏水量と補充量がバランスされる結果、バイパス開閉弁が継続的に開弁状態となって二次側通路に圧力水が補充され続けることで二次側通路の圧力が漏水判定値まで低下せず、実際には漏水があるにもかかわらず、これを漏水として検知しにくい場合であっても、第２タイマが作動して、前記補充信号によってバイパス開閉弁が開弁されたのち一定の開弁持続時間でバイパス開閉弁を閉弁させることで、漏水に起因する二次側通路の圧力低下を正確に判定することができる。
【００１３】
本発明の好ましい実施形態では、前記二次側通路に、同配管内の圧力変動を滑らかにする圧力タンクが接続されている。
【００１４】
この構成によれば、漏水以外の何らかの原因により、二次側通路で圧力低下あるいは圧力上昇が生じた場合、第１圧力検知器または第２圧力検知器が誤作動するおそれがあるが、これら急激な圧力変動が前記圧力タンクによって滑らかな圧力変動になるので、第１圧力検知器または第２圧力検知器の精度の高い作動が期待できる。
【００１５】
本発明の第２構成に係るスプリンクラー設備用漏水検知システムは、加圧された水が導入される一次側通路と、前記一次側通路からの水が導入される二次側通路と、前記一次側通路と二次側通路との間に配置された主開閉弁と、前記二次側通路内の水を散水するスプリンクラーヘッドと、火災感知器からの火災信号を受けて前記主開閉弁を開弁し、前記散水を行わせる散水制御手段とを備えたスプリンクラーシステムで使用される漏水検知システムであって、前記主開閉弁を迂回して一次側通路と二次側通路とを接続するバイパス通路と、前記バイパス通路を開閉するバイパス開閉弁と、前記バイパス通路に設けられて、一次側通路からの水を減圧して二次側通路に供給する減圧弁と、バイパス通路内の流水量を監視し、流水量が一定の設定値に達したときに漏水検知信号を出力する流量検知器と、前記バイパス開閉弁を常時は開弁させ、前記漏水検知信号を受けて閉弁させるバイパス制御手段とを備えている。
【００１６】
この第２構成によれば、バイパス開閉弁は、常時は開弁しており、一次側通路の水は減圧弁で減圧されてバイパス通路経由で少量ずつ二次側通路に供給されるが、二次側通路への流水量が一定の設定値に達しない場合には、二次側通路での漏水がないものと判定される。これに対し、二次側通路への流水量が一定の設定値に達した場合は、二次側通路で漏水が発生しているものと判定される。この流水量は流量検知器で監視されており、流水量が一定の設定値に達したときに漏水検知信号を出力し、この漏水検知信号を受けると、バイパス制御手段によりバイパス開閉弁が閉弁され、二次側通路への水の送給が停止される。前記漏水検知信号は、最終的に音声、文字表示あるいはこれらを併用した警報として発することで、二次側通路での漏水を報知できる。この第２構成によってもやはり、第１構成の場合と同様に、漏水を確実に検知して早期に通報できるので、大きな水損事故の発生を未然に防止することができる。
【００１７】
本発明の好ましい実施形態では、前記流量検知器からの漏水検知信号を受けてカウントダウンを開始しタイムアップしたときに、前記バイパス制御手段にタイムアップ信号を出力する第３タイマを備え、前記バイパス制御手段は、タイムアップ信号出力時に漏水検知信号が出力継続中のときバイパス開閉弁を閉弁させるようにしている。
【００１８】
この構成によれば、第３タイマは流量検知器からの漏水検知信号を受けると、カウントダウンを開始し、タイムアップしたときにタイムアップ信号を出力するが、タイムアップ信号出力時に漏水検知信号が出力継続中のときにのみ、二次側通路で漏水があるものと判定して、バイパス制御手段がバイパス開閉弁を閉弁させる。つまり、前記タイムアップ信号出力時に漏水検知信号が途切れた状態のときは、二次側通路での漏水ではなく自然な圧力降下に起因する流水と見なし、バイパス開閉弁は開弁状態のままで漏水警戒態勢を継続する。このように、流量検知器から漏水検知信号が出力されても直ちに二次側通路で漏水があると判定するものではなく、タイムアップ信号が出力された時点でなお漏水検知信号が出力継続中であるかについて確認後にはじめてバイパス開閉弁が閉弁されるようにしているので、漏水検知をより高い精度で行うことができる。
【発明の効果】
【００１９】
本発明のスプリンクラー設備用漏水検知システムによれば、二次側通路での漏水を早期に発見して水送給停止などの適切な処置を直ちにとることができるので、大きな水損事故の発生を未然に防止することができる。
【発明を実施するための最良の形態】
【００２０】
以下、本発明の好ましい実施形態について図面を参照しながら説明する。図１は、本発明の第１実施形態に係るスプリンクラー設備用漏水検知システムの系統図であって、閉鎖型湿式タイプのスプリンクラーシステムに適用した場合で、二次側通路での水の圧力低下を検知することにより漏水判定を行う圧力検知方式について示している。同図に示すように、このスプリンクラーシステムは、水道水などの水源からの水を加圧するポンプ１と、このポンプ１からの圧力水が導入される一次側通路２とを備え、この一次側通路２には前記ポンプ１から圧力水が流水しているか否かを検知する流水検知装置Ａｖが設けられている。前記一次側通路２には、主開閉弁Ｍｖを介して一次側通路２からの圧力水が導入される二次側通路４が接続され、この二次側通路４には、水を散水するスプリンクラーヘッド５が設けられている。前記スプリンクラーシステムは、火災感知器６と、火災受信機７と、システム各部を作動させるコントローラ８を備え、このコントローラ８は、火災が発生した場合、火災を感知した火災感知器６からの火災信号を火災受信機７経由で受けて、前記主開閉弁Ｍｖを開弁し、スプリンクラーヘッド５からの散水を行わせる散水制御手段８１を備えている。コントローラ８には警報表示盤１０が接続されている。
【００２１】
前記一次側通路２と二次側通路４は、前記主開閉弁Ｍｖを迂回してバイパス流路を構成するバイパス通路９で接続され、このバイパス通路９には通路を開閉するバイパス開閉弁Ｓｖが設けられている。このバイパス開閉弁Ｓｖには、これに隣接して二次側通路４寄りに一定の口径を有するオリフィス９１が設けられ、このオリフィス９１により一次側通路２から圧力水が二次側通路４に少量ずつ導入されることになる。前記一次側通路２，二次側通路４およびバイパス通路９は通常、配管によって形成される。
【００２２】
前記二次側通路４には、通路内の圧力を測る圧力計Ｐｇが接続されるとともに、圧力スイッチからなる第１圧力検知器Ｐｓ１および第２圧力検知器Ｐｓ２が接続されている。このうち、前記第１圧力検知器Ｐｓ１は、前記二次側通路４の圧力変化を監視し、この圧力が漏水判定値Ｊ１（図２参照）にまで低下したとき漏水検知信号Ｓ１を出力する。また、前記第２圧力検知器Ｐｓ２は、二次側通路４の圧力が前記漏水判定値Ｊ１よりも高い警戒値Ｊ２（図２参照）にまで低下したときに補充信号Ｓ２を出力し、二次側通路４の圧力が前記警戒値Ｊ２よりも高い警戒解除値Ｊ３（図２参照）にまで上昇したときに補充停止信号Ｓ３を出力する。これにより、後述するように、漏水がない場合、二次側通路４の圧力が図２のハッチングで囲まれた警戒圧力範囲内（Ｊ２〜Ｊ３）よりも低下しないように調節している。
【００２３】
前記二次側通路４には、同配管４内の圧力変動を滑らかにする圧力タンクＰｔが接続されている。これにより、漏水以外の何らかの原因により二次側通路４内に急激な圧力変動が生じた場合であっても、この急激な圧力変動を圧力タンクＰｔによって滑らかな圧力変動にすることができるので、前記第１圧力検知器Ｐｓ１または第２圧力検知器Ｐｓ２が急激な圧力変動によって誤作動するのを防止できる。
【００２４】
前記コントローラ８には、前記散水制御手段８１に加え、第２圧力検知器Ｐｓ２から出力された補充信号Ｓ２および補充停止信号Ｓ３を受けて前記バイパス開閉弁Ｓｖを開閉する補充制御手段８２と、第１タイマＴ１および第２タイマＴ２が内蔵されている。前記第１タイマＴ１は、バイパス開閉弁Ｓｖが閉弁されたときに計時を開始し、一定の閉弁維持時間にわたり、補充制御手段８２を介して閉弁を継続させる。第２タイマＴ２は、前記補充信号Ｓ２によってバイパス開閉弁Ｓｖが開弁されたときに計時を開始し、一定の開弁持続時間で作動して、補充制御手段８２を介してバイパス開閉弁Ｓｖを閉弁させる。
【００２５】
上記構成において、スプリンクラー設備用漏水検知システムにおける二次側通路４の圧力は、当初、図２に示す警戒解除値Ｊ３（この例では０．４５ＭＰａ）以上になるように設定されているが、この圧力は、漏水がなくても、混入した空気が水に溶解すること、および水の温度低下により経時的に自然低下する。この圧力が漏水判定値Ｊ１よりも高い警戒値Ｊ２（この例では０．３５ＭＰａ）まで低下する。この段階で、図１の第２圧力検知器Ｐｓ２が作動して補充信号Ｓ２が出力され、この補充信号Ｓ２を受けて補充制御手段８２から開弁信号Ｓ４が出力され、バイパス開閉弁Ｓｖが、第２タイマＴ２により、例えば３分間継続して開弁され、一次側通路２からの圧力水がバイパス通路９を経由して二次側通路４に補充される。これにより二次側通路４の圧力が再び警戒解除値Ｊ３（０．４５ＭＰａ）にまで回復すると、バイパス開閉弁Ｓｖを閉弁する。
【００２６】
その後、第１タイマＴ１の作動により、例えば６時間、前記バイパス開閉弁Ｓｖの閉弁を継続し、再び、圧力が警戒値Ｊ２（０．３５ＭＰａ）まで低下すると、前記と同様、補充を繰り返す。こうして圧力が図２にハッチングで示した警戒圧力範囲内（Ｊ２〜Ｊ３）に保たれる。このように、二次側通路４の圧力が漏水判定値Ｊ１にまで低下していない場合は、単なる自然圧力低下であって漏水による圧力低下でないと判定される。
【００２７】
他方、図３に示すように、バイパス開閉弁Ｓｖを開弁して圧力水を補充し、二次側通路４の圧力を再び警戒解除値Ｊ３（０．４５ＭＰａ）にまで回復させ、バイパス開閉弁Ｓｖを閉弁後、６時間経過時点で二次側通路４の圧力が漏水判定値Ｊ１以下にまで低下した場合は、二次側通路４で漏水が発生しているものと判定され、第１圧力検知器Ｐｓ１が作動して漏水検知信号Ｓ１を出力する。この漏水検知信号Ｓ１を受け、警報表示盤１０に漏水の発生を文字表示するとともに、スピーカによる音声警報あるいはこれらを併用した警報として報知することで、二次側通路４での漏水発生を居住者またはビル管理者に通報する。図３の例では、前記圧力水補充によって二次側通路４の圧力は、少なくとも一時的に警戒解除値Ｊ３（０．４５ＭＰａ）にまで回復しているので、二次側通路４で漏水が少ない微量漏水と判定される。このように、微量漏水の発生ありと判定されれば、バイパス開閉弁Ｓｖを閉弁ロックし、二次側通路４への給水経路を遮断する。バイパス開閉弁Ｓｖを閉弁後、６時間経過時点で二次側通路４の圧力が漏水判定値Ｊ１にまで低下していない場合、図２と同一の制御がなされる。
【００２８】
前記バイパス開閉弁Ｓｖを開弁して圧力水を補充し，二次側通路４の圧力を再び警戒解除値Ｊ３（０．４５ＭＰａ）にまで回復させるまでに要する時間は、図７の表２から明らかなように、二次側通路４の容積の増加に比例して増大する。また、この微量漏水についても，図８の表３から明らかなように、二次側通路４の容積の大小によって毎分の最少検出漏水量は約３．１ミリリットルから１８．６ミリリットルとなっており、この範囲を越える漏水はこのスプリンクラー設備用漏水検知システムで微量漏水として検知できる。
【００２９】
前記微量漏水は、例えばマンションなどの共同住宅用スプリンクラー設備では、一住戸当たりのスプリンクラーヘッド設置個数が４個から２０個と限定されており、流水検知装置の二次側通路内容積がフロア面積の大きなオフィスビルのスプリンクラー設備に比較してきわめて少ないことに着目し（図６の表１参照）、前記二次側通路４の圧力変化を監視することによって微量漏水の検出が可能となったのであり、微量漏水の検知ができるこのスプリンクラー設備用漏水検知システムは、例えばマンションなどの共同住宅用スプリンクラー設備に適する。
【００３０】
図４に示す動作例では、二次側通路４の圧力が漏水判定値Ｊ１（０．３０ＭＰａ）よりも高い警戒値Ｊ２（０．３５ＭＰａ）まで低下し、第２圧力検知器Ｐｓ２によりバイパス開閉弁Ｓｖを開弁して一定の開弁持続時間（例えば３分間）を超えて一次側通路２からの圧力水をバイパス通路９経由で二次側通路４側に補充しても、二次側通路４の圧力が再び警戒解除値Ｊ３（０．４５ＭＰａ）にまで回復しない場合には、第２タイマＴ２によって、３分経過後に、補充制御手段８２によって前記バイパス開閉弁Ｓｖを閉弁する。これにより、３分経過すると、第２タイマＴ２の作動により、補充制御手段８２を介してバイパス開閉弁Ｓｖが閉弁され、水が過度に二次側通路４に補充されるのを防ぐ。
【００３１】
バイパス開閉弁Ｓｖの閉弁後、二次側通路４の圧力は、急激に低下し、例えば６時間経過時点で警戒圧力範囲を下回り、漏水判定値Ｊ１以下にまで低下する。この時点で第１圧力検知器Ｐｓ１により、二次側通路４で漏水が発生しているものと判定され、第１圧力検知器Ｐｓ１を作動させて漏水検知信号Ｓ１を出力する。この場合、圧力水を補充しても二次側通路４の圧力が警戒解除値Ｊ３（０．４５ＭＰａ）にまで回復するに至らなかったので、二次側通路４で中程度の漏水が発生しているものと判定される。したがって、このような漏水の発生が判定されれば、バイパス開閉弁Ｓｖを閉弁ロックし、二次側通路４への給水経路を遮断する。
【００３２】
図５に示す動作例では、二次側通路４の圧力が急激に低下して、漏水判定値Ｊ１（０．３０ＭＰａ）よりも高い警戒値Ｊ２（０．３５ＭＰａ）まで低下しており、この時点で、第２圧力検知器Ｐｓ２によりバイパス開閉弁Ｓｖを開弁して圧力水を補充しているが、その補充効果が何ら見られることなく圧力低下し続けている。これは、二次側通路４での漏水量が大量であるためと考えられるので、開弁持続時間（例えば３分間）経過前であっても、直ちに第１圧力検知器Ｐｓ１を作動させて漏水検知信号Ｓ１を出力する。
【００３３】
火災時には、室内温度の上昇により図１の火災感知器６が設定温度（例えば６０℃）に達して作動し、火災警報および火災信号により主開閉弁Ｍｖが開弁され、一次側通路２の圧力と二次側通路４の圧力が同一となる。さらに、室内温度の上昇により感熱型のスプリンクラーヘッド５が設定温度（例えば７２℃）に達した場合、開口して圧力水の散水が開始され消火する。火災時には、バイパス開閉弁Ｓｖが終始閉じられてバイパス通路９またはバイパス通路９Ａは閉鎖されている。
【００３４】
また、火災感知器６が誤作動した場合には、火災警報および火災信号により主開閉弁Ｍｖが開弁し、一次側通路２の圧力と二次側通路４の圧力が同一となるが、室内温度は上昇していないので、スプリンクラーヘッド５は閉鎖されている状態にあり、放水されない。この場合も前記と同様、バイパス開閉弁Ｓｖが終始閉じられてバイパス通路９またはバイパス通路９Ａは閉鎖されている。
【００３５】
図９は第２実施形態に係るスプリンクラー設備用漏水検知システムを示し、前記第１実施形態が圧力検知方式であるのに対し、二次側通路４での流水量の変化を検知することにより漏水判定を行う流量検知方式としたものである。この第２実施形態の基本的構成は、前記第１実施形態と同様であり、同一部分についてはその説明を省略し、相異点についてのみ説明する。図９に示すように、一次側通路２と二次側通路４は、主開閉弁Ｍｖを迂回してバイパス流路を構成するバイパス通路９Ａで接続されている。このバイパス通路９Ａには、この通路９Ａを開閉するバイパス開閉弁Ｓｖと、その下流側、つまり二次側通路４寄りに一次側通路２からの圧力水を減圧して二次側通路側に供給する減圧弁１１とが設けられている。前記減圧弁１１の二次側通路４寄りには、バイパス通路９Ａ経由で二次側通路４に導入される圧力水の流水量を監視し、流水量が一定の設定値（例えば１０〜３０ｍｌ／分の間で設定）に達したときに漏水検知信号Ｓ１Ａを出力する流量検知器１２が設けられている。
【００３６】
前記二次側通路４には、通路内の圧力を測る圧力計Ｐｇと、圧力スイッチからなる第１圧力検知器Ｐｓ１と、圧力タンクＰｔとが接続されている。コントローラ８Ａには、散水制御手段８１に加え、前記バイパス開閉弁Ｓｖを開閉するバイパス制御手段１３と、第３タイマＴ３が内蔵されている。
【００３７】
前記第３タイマＴ３は、前記流量検知器１２から出力された漏水検知信号Ｓ１Ａを受けてカウントダウンを開始し、タイムアップしたときにタイムアップ信号Ｓ５を出力する。前記バイパス制御手段１３はバイパス開閉弁Ｓｖを開・閉弁させるもので、前記タイムアップ信号Ｓ５が出た時点で漏水検知信号Ｓ１Ａが継続中であれば、二次側通路４で漏水があるものと判定して閉弁信号Ｓ６を出力し、前記バイパス開閉弁Ｓｖを閉弁する。一方、前記タイムアップ信号Ｓ５が出た時点で漏水検知信号Ｓ１Ａが存在しない状態であれば、二次側通路４での漏水ではなく、単なる自然な圧力降下による流水と見なして、前記バイパス開閉弁Ｓｖを開弁状態のままとし、漏水警戒態勢をそのまま継続する。
【００３８】
この第２実施形態の場合、前記バイパス通路９Ａの口径を小口径とすることにより、小流水量の検出が可能となる。したがって、二次側通路４を構成する配管内容積の大小に制限されることなく、微量漏水を検出できる。
【００３９】
二次側通路４で大量漏水があったときには、第１圧力検知器Ｐｓ１で急激な圧力降下を検出（０．１５ＭＰａ）し、ただちにバイパス制御手段１３に漏水検知信号Ｓ１を出力してバイパス開閉弁Ｓｖを閉弁させるとともに、警報表示盤１０に漏水警報を発して警報を表示させる。
【図面の簡単な説明】
【００４０】
【図１】本発明の第１実施形態に係るスプリンクラー設備用漏水検知システムの系統図である。
【図２】バイパス開閉弁作動時の制御特性を示す特性図である。
【図３】バイパス開閉弁作動時の制御特性を示す特性図である。
【図４】バイパス開閉弁作動時の制御特性を示す特性図である。
【図５】バイパス開閉弁作動時の制御特性を示す特性図である。
【図６】二次側通路内容積別による二次側通路内の圧力水と空気の容積の関係を示す図表である。
【図７】二次側通路内容積別による圧力補充時間を示す図表である。
【図８】二次側通路内容積別による最少検出漏水量を示す図表である。
【図９】本発明の第２実施形態に係るスプリンクラー設備用漏水検知システムの系統図である。
【符号の説明】
【００４１】
２  一次側通路
４  二次側通路
５  スプリンクラーヘッド
６  火災感知器
８，８Ａ  コントローラ
８１  散水制御手段
８２  補充制御手段
９，９Ａ  バイパス通路
１１  減圧弁
１２  流量検知器
１３  バイパス制御手段
Ｍｖ  主開閉弁
Ｓｖ  バイパス開閉弁
Ｊ１  漏水判定値
Ｊ２  警戒値
Ｊ３  警戒解除値
Ｓ１，Ｓ１Ａ  漏水検知信号
Ｓ２  補充信号
Ｓ３  補充停止信号
Ｓ４  開弁信号
Ｓ５  タイムアップ信号
Ｓ６  閉弁信号
Ｔ１  第１タイマ
Ｔ２  第２タイマ
Ｔ３  第３タイマ
【図１】
2005152291.tif 000003
【図２】
2005152291.tif 000004
【図３】
2005152291.tif 000005
【図４】
2005152291.tif 000006
【図５】
2005152291.tif 000007
【図６】
2005152291.tif 000008
【図７】
2005152291.tif 000009
【図８】
2005152291.tif 000010
【図９】
2005152291.tif 000011